(57)【要約】  本発明は、エレクトロニクス又はコンピュータキャビネットのための折り畳み式ディスプレイ（１）に関しており、現代の通信技術環境にて効果的に使用されることができる。この折り畳み式ディスプレイは、少なくとも一つのディスプレイ（２）と、少なくとも一つの入力インターフェース（３、４、５）とを有しており、これらは、入力インターフェース及び／又はディスプレイ上に出力されたデータを操作するために、キャビネットの空間節約保管位置から動作位置に並進されることができる。少なくとも一つのプロセッサ、揮発性メモリ、及びフラットディスプレイ上へのデータのグラフィック出力のための装置を有するコンピュータ（２６）が、折り畳み式ディスプレイの背面領域に設けられており、入力インターフェースを介した入力の大部分の情報及び／又はデータの判定及び処理、ならびに少なくとも一つのサーバとの通信のための判定された情報及び／又はデータのディスプレイ上への出力のために構成されている。
2010530556.tif 000002
【特許請求の範囲】
【請求項１】
エレクトロニクス又は情報技術キャビネットのための折り畳み式ディスプレイ（１）であって、
少なくとも一つの本質的にフラットなディスプレイ（２）と、
少なくとも一つの入力インターフェース（３、４、５）と、
を有しており、
前記少なくとも一つのディスプレイ（２）及び前記少なくとも一つの入力インターフェース（３、４、５）が、前記少なくとも一つの入力インターフェース（３、４、５）及び／又は前記少なくとも一つのディスプレイ（２）へ出力されたデータを操作するために、キャビネットの空間節約保管位置から動作位置に、特にキャビネットから突出されることによって、並進されることができ、
少なくとも一つのプロセッサ、揮発性メモリ、及び前記フラットなディスプレイ（２）上へのデータのグラフィック出力のための装置を有する計算ユニット（２６）が、前記折り畳み式ディスプレイ（１）の背面領域に設けられており、前記計算ユニット（２６）が、前記入力インターフェース（３、４、５）を介した入力の大部分の情報及び／又はデータの判定、編集、及び／又は処理、ならびに少なくとも一つのサーバとの通信のために判定された情報及び／又はデータの前記ディスプレイ（２）上への出力のために構成されていることを特徴とする、折り畳み式ディスプレイ。
【請求項２】
前記計算ユニット（２６）が、前記少なくとも一つのサーバ上でアプリケーションを実行するように構成されていることを特徴とする、請求項１に記載の折り畳み式ディスプレイ。
【請求項３】
前記計算ユニット（２６）が、少なくとも一つのターミナルサーバと通信するように製造されていることを特徴とする、請求項１又は２に記載の折り畳み式ディスプレイ。
【請求項４】
前記計算ユニット（２６）が、シン・クライアント（３７）又はファット・クライアントとして設計されていることを特徴とする、請求項１から３の一つに記載の折り畳み式ディスプレイ。
【請求項５】
スイッチ装置（３６）が、前記少なくとも一つのディスプレイ（２）及び前記少なくとも一つの入力インターフェース（３、４、５）の、前記折り畳み式ディスプレイには配置されていない計算装置とのオプションの接続のために設けられていることを特徴とする、請求項１から４の一つに記載の折り畳み式ディスプレイ。
【請求項６】
ユーザ識別及び／又は認証のための装置が設けられていることを特徴とする、請求項１から５の一つに記載の折り畳み式ディスプレイ。
【請求項７】
特に前記ディスプレイ（２）の正面側に配置されているカードリーダが設けられていることを特徴とする、請求項１から６の一つに記載の折り畳み式ディスプレイ。
【請求項８】
前記少なくとも一つのサーバとの通信接続、特にネットワーク接続のための接続部（３１）が前記背面領域に設けられていることを特徴とする、請求項１から７の一つに記載の折り畳み式ディスプレイ。
【請求項９】
前記計算ユニット（２６）が、特にＴＣＰ／ＩＰに基づいた、ネットワークを介した通信のために構成されていることを特徴とする、請求項１から８の一つに記載の折り畳み式ディスプレイ。
【請求項１０】
前記計算ユニット（２６）が、非携帯の、特に不揮発性のメモリを備えていることを特徴とする、請求項１から９の一つに記載の折り畳み式ディスプレイ。
【請求項１１】
最大一つの高さユニットの高さ及び１９”の幅によって特徴付けられる、請求項１から１０の一つに記載の折り畳み式ディスプレイ。
【請求項１２】
請求項１から１１の一つに記載の折り畳み式ディスプレイ（１）を有するエレクトロニクス又は情報技術キャビネット。
【発明の詳細な説明】
【技術分野】
【０００１】
本発明は、請求項１の前提部に従ったエレクトロニクス又は情報技術キャビネットのための折り畳み式ディスプレイに関する。
【背景技術】
【０００２】
そのような折り畳み式ディスプレイは、ＴＦＴ引き出しとも呼ばれる。それらは、少なくとも一つの本質的にフラットなディスプレイと、少なくとも一つの入力インターフェースとを備える。これによって、前記少なくとも一つのディスプレイ及び前記少なくとも一つの入力インターフェースが、前記少なくとも一つのインターフェース及び／又は前記少なくとも一つのディスプレイ上に出力されたデータを操作するために、キャビネットの空間節約保管位置から動作位置に、特にキャビネットから突出されることによって、並進されることができるものとする。例えば、キーボード、マウス、又はその他の入力インターフェースが、入力インターフェースとして設けられ得る。
【０００３】
これらの折り畳み式ディスプレイは、例えば１９”のエレクトロニクスキャビネットにて使用されて、このエレクトロニクスキャビネットに設けられたコンピュータ又はサーバに対する入力及び出力インターフェースとして使用される。そのようなＴＦＴ引き出しは、例えば、特許文献１から知られている。
【０００４】
さらに、類似の折り畳み式ディスプレイは、例えば、特許文献１及び特許文献２に記述されている。しかし、これらの場合、さらに完全なＰＣ部品が、折り畳み式ディスプレイに付加的に設けられている。これはそのとき、ネットワークを介した通信のために作用し、ユーザがデスクトップＰＣと同じ機能を有することを可能にする。しかし、ここで記述された２つの折り畳み式ディスプレイは非常に貧弱であり、あるいは、同じ１９”ラックに配置されたサーバへのデータの入出力に関して、限定された能力しか提供しない。
【先行技術文献】
【特許文献】
【０００５】
【特許文献１】独国実用新案登録第２０  ２００６  ０００  ３１３号明細書
【特許文献２】米国特許第４０１９９６３号明細書
【特許文献３】米国特許第６８０７０５４号明細書
【発明の概要】
【発明が解決しようとする課題】
【０００６】
一方、現代のサーバ管理ツールはしばしば、もはやサーバ自身への直接的な入出力には依存せず、代わりに、例えばウエブアプリケーションの形態での対応するインターフェースを提供する。これより、サーバへの直接的な入出力の可能性は必要ではない。
【０００７】
説明したように、サーバへの直接的な接続は、通常の管理目的のためにはもはや必要ではないが、緊急の状況、例えば部分的なハードウエアの故障の場合には、特にしばしば直接アクセスが求められる。
【０００８】
そのような折り畳み式ディスプレイのＰＣの使用におけるさらなる問題は、使用されているサーバに比べて、これらが比較的高い故障確率を有することである。それらはまた、そのような折り畳み式ディスプレイにおいて非常に大きな空間を必要とし、これは、比較的小さな部品しか使用されることができないことを意味する。さらなるＰＣのアクティブな部品によって付加的に生成される熱は、これらの部品がしばしば既にそれらの熱的な境界で動作しているので、サーバラックの全体的な熱状況において、見過ごされてはいけない。
【０００９】
現代の通信環境にて効果的に使用されることができるエレクトロニクス又は情報技術キャビネットのための折り畳み式ディスプレイを創り出すことが、本発明の目的である。
【課題を解決するための手段】
【００１０】
この目的は、請求項１の特徴を有する折り畳み式ディスプレイによって、本発明にしたがって達成される。
【００１１】
これによれば、計算ユニットが、折り畳み式ディスプレイの背面領域に組み込まれている。前記計算ユニットは、少なくとも一つのプロセッサ、揮発性メモリ、及び折り畳み式ディスプレイのフラットスクリーン上へのデータのグラフィック出力のための装置を備えている。さらに、この計算ユニットは、入力インターフェースを介して入力された情報の、この情報及びデータを中央サーバに送るというような方法での判定及び処理のために構成されている。この中央サーバはそれから、その情報を計算ユニットに送り返し、計算ユニットがそれからそれをディスプレイ上に出力する。対応する通信装置が、このために、サーバ上及び計算ユニット上の両方に設けられている。
【００１２】
さらなる有益な実施形態が、従属請求項、明細書、図面、及び図面の説明に示されている。
【００１３】
本発明の核心のアイデアは、本発明に従った折り畳み式ディスプレイが、さらなる情報処理ユニットを有さない純粋な折り畳み式ディスプレイとＰＣが設けられた既知の折り畳み式ディスプレイとの間の中間段階を作り出すことを許容する点に、見ることができる。これにより、ＰＣ無しのバージョンの利点を、ＰＣを有するＴＦＴ引き出しの利点に結び付けることが可能になる。従来のＴＦＴ引き出しとは対照的に、ユーザには、本発明にしたがって、「スリム化された」バージョンのコンピュータが提供される。これによって、対応するネットワーク又は可能性としては直接接続を通じて対応するインターフェースを提供するサーバへのアクセスが可能になる。そのようなインターフェースの例は、メールサーバ、ファイアウォール、又はゲートウエイの構成のための既知のウエブインターフェースである。
【００１４】
一方、本発明にしたがった折り畳み式ディスプレイは完全なＰＣは備えておらず、それによって、第１に、熱の発生量がより少ない。第２に、原則としてより少数の部品が使用され、これにより、故障確率がより低い。本発明に従った構成のさらなる効果は、より少ない部品を使用することによって、より小さい空間がまた使用され、それゆえ、他の付加的な装置が折り畳み式ディスプレイに可能性として一体化され得ることである。
【００１５】
好適な実施形態によれば、計算ユニットは、少なくとも一つのサーバ上でアプリケーションを実行することができるように構成される。このサーバは、同じラック内か、あるいは、情報ネットワークを介して計算ユニットに接続される任意の他の所望の位置に、収納されている。しかし、このサーバはまた、任意の所望の情報システムであることもできる。サーバがターミナルサーバとして構成されると、効果的であることが証明されている。これにより、計算ユニット自身は極端に低いプロセッサ能力を備えることが可能になる。情報の実際の処理は、そのときにはターミナルサーバ上で実現される。計算ユニットは、折り畳み式ディスプレイ上のキーボード入力を、ネットワーク又はその他の情報接続を介してターミナルサーバに送り、ターミナルサーバ上でその入力がそれから処理されて、対応する結果が計算ユニットに送り返される。計算ユニットはそれから、この結果を接続されたディスプレイ上に表示する。個々のマウス及び／又はキーボード入力が、これにより、例えばターミナルサーバに伝送されて、結果又は反応が、ディスプレイ上への出力のために、計算ユニットに送り返される。
【００１６】
原則として、任意の所望の構成が、計算ユニットとして使用されることができる。しかし、計算ユニットがシン又はファット・クライアントとして構成されると、特に有益である。このクライアント自身がしばしば、それ自身のオペレーティングシステムを持たず、代わりに、非常にスリム化されたＢｉｏｓ変形のみを有しており、このＢｉｏｓ変形が、開始時にオペレーティングシステムを中央サーバからロードする。その結果として、クライアント又は計算ユニット自身のメンテナンス作業の大部分は不必要になる。複数のそのような折り畳み式ディスプレイがデータセンターで使用されると、各折り畳み式ディスプレイ又は対応する計算ユニット自身に対する構成上の変更の場合には、新しく設定される必要がなくなる。その代わりに、ターミナルサーバ上の中央設定で十分になる。
【００１７】
しかし、原則として、クライアント自身が、例えばフラッシュカード上に記憶されたミニオペレーティングシステムを有することが考えられる。残りのオペレーティングシステムはそのときには、例えばＴＦＴＰプロトコルを有するネットワークを介して、引き続いてロードされる。もちろん、オペレーティングシステム全体及びさらなるアプリケーションもまた、引き続いてネットワークを介してロードされることができる。同じ効果が、ターミナルサーバ上にインストールされるか又はそこでまた実行される使用されているアプリケーションに適用される。これより、対応するアプリケーションを各クライアントに与える必要は無い。
【００１８】
さらなる好適な実施形態の範囲内で、計算ユニットに加えて、スイッチ装置が折り畳み式ディスプレイに設けられる。このスイッチ装置によって、計算ユニットに対する又は少なくとも折り畳み式ディスプレイに設けられていない計算装置に対する折り畳み式ディスプレイの入出力インターフェースのオプションの接続が可能になる。これらの計算装置は、例えば、情報技術キャビネットに配置されたサーバ又はＫＶＭスイッチであり得る。ＫＶＭスイッチのような装置のみが設けられるという従来技術の効果は、これより、ＰＣのみが使われる新しい装置に結び付けられる。これより、計算ユニット自身の上の「オペレーティングシステム」とサーバ上の直接入出力との間で、望まれるように切り換えることが可能になる。計算ユニットがもはや機能していなくても、サーバとの直接通信が依然として可能である。そのようなスイッチ装置を折り畳み式ディスプレイ自身に設けることによって、エレクトロニクスキャビネットにおける空間が節約され、これは、他のサーバが組み込まれることができ、これによりそのようなキャビネットのコストフレームワークが改善されることを意味する。
【発明の効果】
【００１９】
好適な実施形態によれば、ディスプレイは、ユーザ識別及び／又は認証のための装置を備える。これは、例えばカードリーダの形態で設けられることができる。前記カードリーダを開いたディスプレイの正面側に配置することが有益であることが、これにより証明されてきている。しかし、原則的には、他の識別及び認証装置、例えば指紋スキャナの形態もまた可能である。そのような識別及び／又は認証装置を使用するときには、例えば識別がシステム中で実行されることができるという利点がある。これは、折り畳み式ディスプレイ上で対応するチップカードで自分自身を識別するユーザに、システム全体で有しているのと同じユーザ権利を持たせる。シン又はファット・クライアントが計算ユニットとして使用されると、ユーザが、彼の他のワークステーションで彼に利用可能なものと同じ作業環境を有するということもまた、提供されることができる。加えて、権限を有さない存在による中央サーバへの組み合わされた識別及び認証アクセスが少なくともより困難にされることを通して、システムセキュリティーの増加に関するさらなる利点が存在する。
【００２０】
原則として、計算ユニットの中央サーバとの通信は、任意の所望の方法で構成されることができる。しかし、対応する通信接続、特にネットワーク接続が、折り畳み式ディスプレイの背面領域に設けられれば好都合である。サーバとの通信は、これによってネットワーク、例えば、銅線ベースのネットワーク、あるいは、より大きなサーバでは光導波路ベースのネットワークを介して、実行されることができる。これより、付加的な通信装置は必要とされず、代わりに、サーバ領域又はデータセンターに存在するネットワークが使われることができる。このネットワークを介した遠方からの折り畳み式ディスプレイへのアクセスもまた、これによって可能になる。ネットワーク自身は、ＩＰベースで操作されることができる。
【００２１】
計算ユニットを有する折り畳み式ディスプレイの故障確率を低減するために、計算ユニットが非携帯及び／又は不揮発性メモリを備えることが有益であると証明されてきている。携帯記憶媒体、例えば普通のハードディスクを除外することによって、機械的な動きが排除され、これによって故障率が低減する。これに関連して、例えばフラッシュカード又は他の不揮発性メモリが使用されることができる。装置は、メモリスティック又は外部ドライブのために、特に背面ＵＳＢポートを有することができる。
【００２２】
本発明に従った折り畳み式ディスプレイの好都合な配置を許容するために、最大として、高さユニットの高さ及び１９”の幅を有する。これは、普通のコンピュータ、情報技術又はサーバキャビネットに組み込まれることができることを意味する。例えば、動作位置に容易に動かされることができるように、入れ子式レールが装着のために設けられることができる。そのような折り畳み式ディスプレイがエレクトロニクス又は情報技術キャビネットに組み込まれて、これによりそれを、このキャビネットに配置されたサーバの管理及び監督のために使用することが、特に有益である。しかし、計算ユニットを使用することによって、より遠方のサーバと直接的に通信するためにも使用されることができる。
【図面の簡単な説明】
【００２３】
本発明が、実施形態及び模式的な描写を参照して、以下において、より詳細に説明される。図面は以下のものを示す。
【図１】上向きにされたディスプレイを有する折り畳み式ディスプレイの正面からの傾斜図である。
【図２】下向きにされたディスプレイを有する折り畳み式ディスプレイの正面からの傾斜図である。
【図３】下向きにされたディスプレイを有する折り畳み式ディスプレイの背面からの傾斜図である。
【図４】シン・クライアント３７及びＫＶＭスイッチ３６を有する折り畳み式ディスプレイの模式図である。
【発明を実施するための形態】
【００２４】
図１は、上向きにされたディスプレイ２を有する折り畳み式ディスプレイを示す。このディスプレイ２は、例えば、ＴＦＴスクリーン又はＬＣＤスクリーンの形態に構成されることができる。ファンクションキー６が、ディスプレイ２の下端に配置される。様々な機能が、前記ファンクションキーに割り当てられ得る。例えば、スクリーン２上で明るさ、コントラスト、又は類似のものに関する調整を実行することが、これによって可能になる。しかし、入力媒体３、４、５及びディスプレイ２を、折り畳み式ディスプレイ１の背面領域におけるＫＶＭスイッチ３６（図示せず）の他のアウトレットに切り換える可能性もある。
【００２５】
キーボード３が、ディスプレイ２の正面に配置されている。前記キーボード３は、折り畳み式ディスプレイ１が折り畳まれた状態で高さが低くなるように、できるだけフラットになっている。タッチパッド４が、この描写では、キーボード３が位置しているのと同じ平面に設けられている。前記タッチパッド４は加えて、さらにマウスファンクションキー５を備えている。ユーザに対してできる限り最良の人間工学的な入力設計を許容するために、ハンドレスト７がタッチパッド４の左右に見受けられ、このハンドレスト７は、例えばフォームラバーからできていることができる。この描写からは見ることができないが、カードリーダ１７が、ディスプレイ２の正面側、すなわちユーザに面する側に配置されることができて、このカードリーダ１７は、ユーザ識別及び認証が、カード及び対応するＰＩＮ入力を介して実行されることを可能にする。これより、ユーザが、彼に特に与えられたアカウントで作業することが可能になる。識別を通して、折り畳み式ディスプレイ１の背面領域に位置したシン・クライアント３７が、中央ターミナルサーバに接続し、ユーザに、彼自身に適合した作業環境を提供する。権利の割り当てもまた、これによってユーザに適合して実行されて、権限を有さない存在は、コンピュータにログインすることはできても、関連するデータをそこで得ることができず、セキュリティー的に重要な機能を実行することはできない。
【００２６】
ディスプレイを上に向けるために、対応するグリップを備えるパネル１４が、ディスプレイの頂上部に設けられている。バネ装置１２を有するレール１３が、折り畳み式ディスプレイ１の側部に設けられている。折り畳み式ディスプレイ１は、これらのレールでサーバキャビネットから引き出されることができる。ばね装置１２は、折り畳み式ディスプレイ１を、ここでは動作位置とも称される引き出し位置に、意図せずに元に戻れないように固定するように機能する。ケーブルガイド１１もまた、ここで背面領域に見ることができる。これは、折り畳み式ディスプレイ１が引き出され又は再び押し戻されるときにケーブルの絡みが生じないように、ケーブルを受け取り、それらをガイドするように機能する。
【００２７】
図２及び図３は各々、閉じられた状態での折り畳み式ディスプレイ１の様子を示す。ケーブルガイド１１は、ここでは示されている。レール１３に接続された支持レール２４が、ここではレールの側部に設けられている。前記支持レール２４は、サーバキャビネット自身に組み込まれている。折り畳み式ディスプレイ１の引き出し及び押し戻しの際にできるだけ小さな抵抗も克服されなければならないので、レール１３は、その上をローラ又は類似のスライド手段でスライドする。ここに示されている折り畳み式ディスプレイ１は、これにより、図１に示されたものとは異なるキーボード３上に折り畳まれる。ディスプレイ２はこれより、キーボード３の上に下向きに折り畳まれていて、そのディスプレイカバー２２のみが背面側に見える。ディスプレイによって生成される熱を取り除くために、この背面側２２は、対応する排気口を備えている。
【００２８】
図２に示されている折り畳み式ディスプレイは、図３では背面から傾いて示されている。様々な接続３１が、これにより見ることができる。これらは、電源供給用又は他の計算ユニットへの接続用に設計されている。電源は、これにより、１００Ｖから２４０Ｖの電圧で動作することができる一体化された共通電源で設計されることができる。対応するネットワーク部品への接続もまた、提供されている。コンピュータ又はコンピュータユニット２６の排気孔は、折り畳み式ディスプレイ１の左側に位置している。その下はシン・クライアント３７であり、これはディスプレイ２、ならびに入力インターフェース３、４及び５に直接に接続されている。右側領域にはＫＶＭスイッチ３６があるが、カバーによって隠されている。シン・クライアント３７は、ＫＶＭスイッチ３６に直接接続されている。このＫＶＭスイッチ３６は、ディスプレイ２、ならびに入力インターフェース３、４及び５に直接に接続されている。加えて、複数の他のサーバへの接続のための接続部が、背面側に設けられている。図１に示されるファンクションキー６を使用してＫＶＭスイッチ３６を切り換え、シン・クライアント３７をディスプレイ及び入力媒体、又は他のサーバにも、接続することが可能である。対応するキーは、もちろん、他の位置に設けられることもできる。
【００２９】
図４は、ディスプレイ２、キーボード３、ＫＶＭスイッチ３６、及びシン・クライアント３７の切換えの模式図を示している。例として、異なるタイプの可能な入出力インターフェースに対するディスプレイ２及びキーボード３が、ＫＶＭスイッチ３６に接続されている。この接続は、折り畳み式ディスプレイ１に内部的に配置されている。ＫＶＭスイッチ３６は、複数のユーザエンドのさらなる接続３８及び３５を有している。ＫＶＭスイッチ３６は、例えばこれにより、接続３５を介して、外部サーバ、他の外部計算ユニット又は外部ＫＶＭスイッチに接続されることができる。接続３８は、やはり折り畳み式ディスプレイ１に配置されたシン・クライアント３７に、内部的にガイドされる。前記シン・クライアント３７は、接続３９を介して情報ネットワークに接続され、離れたターミナルサーバと通信することができる。外部ＵＳＢ接続３４が、例えば設けられることができる。加えて、ＫＶＭスイッチ３６上に、さらなるユーザエンドの接続３５が存在する。これらは、例えば、折り畳み式ディスプレイ１と同じラックに位置する他のサーバに導き得る。対応する切換えを通じて、ディスプレイ２及びキーボード３は、これらのサーバの一つに直接的に接続されて、ユーザに対して、あたかも彼がそのサーバの正面に直接に居て、入出力インターフェースでそれにアクセスできているかのような同じ効果を有する。
【００３０】
したがって、本発明に従った折り畳み式ディスプレイによって、情報技術及びサーバキャビネット内に組み込まれることができて、現代のサーバ監督及び管理に関して最適化される構造が提供されることができる。
【図１】
2010530556.tif 000003
【図２】
2010530556.tif 000004
【図３】
2010530556.tif 000005
【図４】
2010530556.tif 000006
【手続補正書】
【提出日】平成20年4月14日(2008.4.14)
【手続補正１】
【補正対象書類名】特許請求の範囲
【補正対象項目名】請求項１
【補正方法】変更
【補正の内容】
【請求項１】
エレクトロニクス又は情報技術キャビネットのための折り畳み式ディスプレイ（１）であって、
少なくとも一つの本質的にフラットなディスプレイ（２）と、
少なくとも一つの入力インターフェース（３、４、５）と、
少なくとも一つのプロセッサと、
を有しており、
前記少なくとも一つのディスプレイ（２）及び前記少なくとも一つの入力インターフェース（３、４、５）が、前記少なくとも一つの入力インターフェース（３、４、５）及び／又は前記少なくとも一つのディスプレイ（２）上に出力されたデータを操作するために、キャビネットの空間節約保管位置から動作位置に、特にキャビネットから突出されることによって、並進されることができ、
揮発性メモリ、及び前記フラットなディスプレイ（２）上へのデータのグラフィック出力のための装置を有する計算ユニット（２６）が、前記折り畳み式ディスプレイ（１）の背面領域に設けられており、前記プロセッサが前記計算ユニット（２６）に設けられており、
前記計算ユニット（２６）が、前記入力インターフェース（３、４、５）を介した入力の大部分の情報及び／又はデータの判定、編集、及び／又は処理、ならびに、情報ネットワークを介した少なくとも一つのサーバとの通信のために判定された情報及び／又はデータの前記ディスプレイ（２）上への出力のために構成されていることを特徴とする、折り畳み式ディスプレイ。
【国際調査報告】
2010530556.tif 000007
2010530556.tif 000008
2010530556.tif 000009
2010530556.tif 000010
2010530556.tif 000011
2010530556.tif 000012